(57)【要約】【課題】長手方向に所定間隔ごとに位置決め孔を設けた可撓性を有し、ダクトの周囲に巻き付ける帯状部材を位置決めしつつ天井面に固定することでダクトを天井面から吊り下げるダクト取付部材を提供する。【解決手段】天井面に当接させる天面を有する板形状の上面部材と、上面部材に対して厚み方向にずれた位置に形成される板形状の下面部材と、上面部材と下面部材との間に形成され、帯状部材が挿入される隙間と、を有し、上面部材の天面の裏側には下方に突出するリベット部材を有し、リベット部材は、帯状部材の位置決め孔を嵌め込むことが可能であって、リベット部材の先端には、嵌め込んだ後に帯状部材の下方落下を防止する第一返し部が設けられる。【選択図】図３
2018077007.tif 000002
【特許請求の範囲】
【請求項１】
長手方向に所定間隔ごとに位置決め孔が設けられた帯状部材を天井面に固定させることで、ダクトを前記天井面から吊り下げるダクト取付部材であって、
前記天井面に当接させる天面を有する板形状の上面部材と、
前記上面部材に対して厚み方向にずれた位置に形成される板形状の下面部材と、
前記上面部材と前記下面部材との間に形成され、前記帯状部材が挿入される隙間と、
を有し、
前記上面部材の天面の裏側には下方に突出するバンドリベット部材を有し、前記バンドリベット部材は、前記帯状部材の位置決め孔を嵌め込むことが可能であって、
前記バンドリベット部材の先端には、嵌め込んだ後に前記帯状部材の下方落下を防止する第一返し部が設けられる、
ダクト取付部材。
【請求項２】
前記下面部材には厚み方向に貫通する切り込みが設けられ、
前記下面部材には、前記切り込みによって前記上面部材側を自由端として厚み方向に揺動する舌状部材が形成され、
前記舌状部材は、前記自由端に向かってスロープ状に下方に突出する第二返し部が設けられ、
前記下面部材の天面の裏側で前記帯状部材を前記上面部材側に進行させると、前記帯状部材の前記位置決め孔が前記第二返し部に引っかけられて前記帯状部材の進行方向と反対側への移動を規制する、
ダクト取付部材。
【請求項３】
前記上面部材の天面の裏側及び／又は前記下面部材の天面側での前記帯状部材の幅方向のずれを規制する側部部材を備える、請求項１又は２に記載のダクト取付部材。
【請求項４】
前記側部部材は、前記上面部材と前記下面部材との両幅に直行して立設され、前記上面部材と前記下面部材との長手方向にわたって延びる板状部材である、請求項３に記載のダクト取付部材。
【請求項５】
それぞれの前記側部部材の下部で幅方向内側に突出し、前記上面部材の下方に位置する第一ガイド部材を備える、請求項４に記載のダクト取付部材。
【請求項６】
それぞれの前記側部部材の下部で幅方向内側に突出し又は互いに連結し、前記下面部材の下方に位置する第二ガイド部材を備える、請求項４に記載のダクト取付部材。
【請求項７】
前記バンドリベット部材は、上下方向に上面部材まで貫通する孔が設けられ、さらに長手方向に分割されている、請求項１〜６のいずれか１項に記載のダクト取付部材。
【請求項８】
それぞれの前記側部部材の両側又は一方側の端部でその上部エッジから幅方向内側に突出する板状の衝撃吸収ガイド部材を備える、請求項５〜７のいずれか１項に記載のダクト取付部材。
【請求項９】
前記上面部材の天面上において、前記上面部材の縁部に沿って囲む溝が配設されている、請求項１〜８のいずれか１項に記載のダクト取付部材。
【発明の詳細な説明】
【技術分野】
【０００１】
本発明は、フレキシブルダクト等のダクトを施設の天井等に取り付ける際に、容易かつ少ない工数で、樹脂製等のバンド（帯状部材）をダクトに巻き付けて天井等から吊り下げ固定し得る、ダクト取付部材に関する。
【背景技術】
【０００２】
空調、換気、排煙等の目的で施設内の天井や壁等（以下、「天井等」と称する）にはダクトが取り付けられている。ダクトは、天井等の形状に合わせ得るものであることが望ましく、一例として湾曲・収縮自在で軽量のフレキシブルダクト等（以下、ダクトと称する）が知られている。
【０００３】
一般的に、ダクトの天井等への取り付けは、樹脂製のバンド（以下、「帯状部材」と呼ぶ場合がある）を筒状のダクトの外周に巻き付け、バンドの両端を天井等に取り付けることで行われる。バンドの天井等への取り付けには、直接的な若しくは間接的な取り付け方法がある。直接的な方法としては、ガス銃などの鋲打器を用いてバンドの端部ごと天井等に鋲（釘）等を打ち込む方法や、接着剤を用いて天井等にバンドを接着する方法が知られている。また、間接的な方法としては、天井等から鎖等を垂らし、その鎖等にバンドの端部を釘等の打ち込みまたは接着剤により取り付ける方法が知られている。
【０００４】
間接的な他の取り付け方法として、特開２００３−１１４０４５号公報（特許文献１）に示されるような、孔の開いた板状部材を備える器具を天井等に固定し、その孔とバンドに設けられた両端の孔を覗くように重ね合わせ、重ねた孔に両側から嵌合部材を通してバンドを器具に取り付ける方法が知られている。また間接的な他の方法として、特許４３６５５９０号公報（特許文献２）に示されるような、天井等に予め取り付けたフック形状部材を備える器具を用いて、バンドに設けられた両端の孔をフック形状部材に引っ掛けて吊るす方法が知られている。
【先行技術文献】
【特許文献】
【０００５】
【特許文献１】特開２００３−１１４０４５号公報
【特許文献２】特許４３６５５９０号公報
【発明の概要】
【発明が解決しようとする課題】
【０００６】
上述した従来のバンドの天井等への取り付け方法には、以下に示す課題がある。
【０００７】
直接的な取り付け方法では、ダクト取り付け後にバンドの長さを調節することができず、ダクト取り付け後に施設環境に応じたダクトの配置・変更に十分に対応できなかった。また、作業手順として、ダクトにバンドを巻きつけた後にこれを作業者が両手で持ち上げた状態で天井等への取り付けを行う必要があり、煩雑な両手作業を必須とし、作業者の負担が大きく作業工数が増加する問題があった。このことは、施設ごとに天井等の作業環境が変化する、例えば暗所等の作業に不向きな時間帯、場所において顕著であった。
また、間接的な取り付け方法では、先に天井等に器具を設置する必要があり、取り付け工具の持ち替え等の作業工程が煩雑であるという欠点があった。
【０００８】
また、例えば特許文献１に示される取り付け方法など従来の取り付け方法では、一旦天井等にダクトを取り付けた後にバンドの長さを調節することが困難であった。また、例えば特許文献２に示す取り付け方法では、バンドに複数の孔を設け、フックに引っ掛ける孔を選択することでバンドの器具への取り付け位置を調整することを可能としているが、引っ掛けているだけであるためフックを軸としてバンドの両端が回転するおそれがあり、ダクトの設置場所からの落下や、バンドが動いて擦れることによるダクトの損傷などの不具合を予防できていなかった。
本発明の目的は、ダクトを天井等に取り付ける作業の作業性を向上可能にする技術を提供することである。
【課題を解決するための手段】
【０００９】
本発明の一実施の形態におけるダクト取付部材は、長手方向に所定間隔ごとに位置決め孔が設けられた帯状部材を天井面に固定させることで、ダクトを前記天井面から吊り下げるダクト取付部材であって、前記天井面に当接させる天面を有する板形状の上面部材を有する。また、前記上面部材に対して厚み方向にずれた位置に形成される板形状の下面部材を有する。また、前記上面部材と前記下面部材との間に形成され、前記帯状部材が挿入される隙間を有する。また、前記上面部材の天面の裏側には下方に突出するバンドリベット部材を有し、前記バンドリベット部材は、前記帯状部材の位置決め孔に嵌め込むことが可能である。また、前記バンドリベット部材の先端には、嵌め込んだ後に前記帯状部材の下方落下を防止する第一返し部が設けられる。
【００１０】
本ダクト取付部材は、ガス銃等の鋲打ち器や接着剤で天井等に当接固定する上面部材と、これより一段下方に並列する下面部材とで構成されており、上面部材の裏側に帯状部材（例えば、実施形態におけるバンド部材１２）を進行させて帯状部材に所定ピッチで設けられた孔（例えば、実施形態におけるバンド部材１２）をバンドリベット部材に嵌め込むだけでその第一返し部によりスナップ留めされて帯状状部材を固定することができる。したがって、帯状部材を所望の長さに片手操作で簡単に位置決めすることができる。さらに、帯状部材の先端は上面部材と下面部材との隙間に進行させることができるのでその位置決め長さの調整も容易である。
【００１１】
また、本ダクト取付部材は、前記下面部材には厚み方向に貫通する切り込みが設けられ、前記下面部材には、前記切り込みによって前記上面部材側を自由端として厚み方向に揺動する舌状部材が形成される。また、前記舌状部材は、前記自由端に向かってスロープ状に下方に突出する第二返し部が設けられる。また、前記下面部材の天面の裏側で前記帯状部材を前記上面部材側に進行させると、前記帯状部材の前記位置決め孔が前記第二返し部（例えば、実施形態におけるラチェット部材１２３）に引っかけられて前記帯状部材の進行方向と反対側への移動を規制する。
【００１２】
このダクト取付部材では、前述の反対に下面部材側から帯状部材を挿入する場合、帯状部材を下面部材の裏側で進行させ、その孔を第二返し部に引っかけて固定する。この第二返し部は、下面部材に切り込みを入れることで形成された片持ち形状であり、その下部は帯状部材の進行方向に隆起するようにスロープ状に形成され、先端を頂部とする。これにより、帯状部材を進行させるときは下面部材の裏側で上方向の移動を規制しつつ、その孔の前縁も第二返し部のスロープ形状を進行する。そして、孔の前縁が第二返し部の頂部を超えた時点で帯状部材の復元力で頂部が孔に入り込み、帯状部材の逆進行を規制する。したがって、帯状部材を片手操作でその長さを調整しながら押し込んでいくだけで簡単に所望の位置で固定することができる。
【００１３】
特に下面部材側の帯状部材の固定の場合、バンドリベット部材で帯状部材の一端を固定した状態でダクトに巻き付けて反対側の帯状部材の端部を進行させ、ダクト径等に応じて長さ調節しながら機動的に固定する必要がある。このため第二返し部は帯状部材の進行を自在としつつも逆進行を規制する役割を有する。
また、本ダクト取付部材は、前記上面部材の天面の裏側及び／又は前記下面部材の天面側での前記帯状部材の幅方向のずれを規制する側部部材を備える。
上面部材と下面部材とのを２つの側部部材で挟んで一体成型することで、帯状部材を進行させるときに側部部材によって幅方向のずれを規制して案内することができる。
【００１４】
具体的に例示すると、前記側部部材は、前記上面部材と前記下面部材との両幅に直行して立設され、前記上面部材と前記下面部材との長手方向にわたって延びる板状部材である。
【００１５】
また、本ダクト取付部材は、それぞれの前記側部部材の下部で幅方向内側に突出し、前記上面部材の下方に位置する第一ガイド部材（例えば、実施形態におけるバンドガイド１１８）を備えることが好ましい。
【００１６】
また、それぞれの前記側部部材の下部で幅方向内側に突出し又は互いに連結し、前記下面部材の下方に位置する第二ガイド部材（例えば、実施形態におけるラチェットガイド１２０）を備えることが好ましい。
【００１７】
上面部材の下方には、第一ガイド部材が設けられ、これにより帯状部材を進行させるときの下方落下を防止できる。とりわけ本発明の場合、できるだけ片手操作で取付け作業ができることを目的としているため、バンドリベット部材に帯状部材の所望位置の孔を嵌め込むまでの作業の煩雑さも回避したい要望があるからである。
【００１８】
また、同様の目的で下面部材の下方にも第二ガイド部材が設けられ、帯状部材の所望の孔を第二返し部に引っかけるまでの下方落下を防止している。第二ガイド部材は、単に側部部材から突出場合だけでなく、両側の側部部材を連結する場合も考えられる。下面部材側の帯状部材の固定の場合、上述するように第二返し部によりダクト径等に応じて機動的に固定できるようにしている。このため第二返し部のみでは固定力が弱い場合もあり、下方落下防止を十分に達成し得るようにしている。
また、本ダクト取付部材の前記バンドリベット部材は、上下方向に上面部材まで貫通する孔が設けられ、さらに長手方向に分割されていることが好ましい。
【００１９】
貫通する孔を設けることで電気銃（鋲打ち器）等の鋲打器を用いて貫通孔に釘又は鋲を打ち込み、上面部材を天井等に当接固定することができる。また、貫通する孔を利用しつつバンドリベット部材を分割することで上面部材側を固定端とし第一返し部側を自由端とする互いに両側に開いた形状にすることができ、前後方向の可撓性を大きくして帯状部材をスナップ留めし易くしている。
【００２０】
さらに、本ダクト取付部材では、電気銃等の鋲打器を用いる合、帯状部材を上面部材と天井との間に介挿させた状態でバンドリベット部材の貫通孔に釘又は鋲を打ち込んでダクトに巻き付ける前に先に天井に固定することも考えられる。このような固定方法もバンドリベット部材を分割し、貫通孔を設けることで可能となる。
また、本ダクト取付部材は、それぞれの前記側部部材の両側又は一方側の端部でその上部エッジから幅方向内側に突出する板状の衝撃吸収ガイド部材を備えても良い。
【００２１】
この衝撃吸収ガイド部材（例えば、本実施形態におけるバンドガイド１１４、バンドストップ１１６）により鋲打ち作業時の衝撃から本ダクト取付部材や帯状部材を保護することができる。
【００２２】
また、上述するように上面部材と天井の間に帯状部材を介挿させてバンドリベット部材の下方から鋲打ち作業時して本ダクト取付部材を天井に固定する場合、上面部材の端部に設けられた衝撃吸収ガイド部材（例えば、本実施形態におけるバンドガイド１１４）と上面部材の端部（例えば、本実施形態における傾斜部１０２ｂ）との間に帯状部材の先端を挿入し、上面部材の天面上で進行させることができ、帯状部材の所望の位置の孔とバンドリベット部材の貫通孔とが覗く位置になった状態で鋲打ち作業を行って固定することができる。このとき衝撃吸収ガイド部材は帯状部材の進行の案内板としての役割と、鋲打ちによる衝撃を吸収し本ダクト取付部材や帯状部材の保護をする役割とを兼務することができる。
【００２３】
また鋲打ち作業時して本ダクト取付部材を天井に固定する場合、帯状部材をさらに進行させて所望位置の孔で鋲打ちし、帯状部材の長さ調節をする場合、下面部材側の衝撃吸収ガイド部材（例えば、本実施形態におけるバンドストップ１１６）によって帯状部材の先端の鋲打ちによる衝撃を吸収し本ダクト取付部材や帯状部材の保護することができる。
さらに、本ダクト取付部材は、前記上面部材の天面上において、前記上面部材の縁部に沿って囲む溝が配設されていても良い。
この溝により上面部材の天面に接着剤を塗布し、天井等に固着させる場合、当接面に接着剤をはみ出さずに十分に行きわたらせることができる。
【発明の効果】
【００２４】
本発明によれば、ダクトを天井等に取り付ける作業の作業性が向上する。
【図面の簡単な説明】
【００２５】
【図１】本発明のダクト取付部材の実施形態の天面から見た斜視図である。
【図２】本発明のダクト取付部材の実施形態の裏面から見た斜視図である。
【図３】図１のラインＡ−Ａに沿った断面図である。
【図４】図３の略断面にバンド部材（帯状部材）を挿入した状態を示しており、（ａ）は上面部材の下方にバンド部材を進行させており、（ｂ）は下面部材の下方にバンド部材を進行させており、（ｃ）は上面部材の天面にバンド部材を進行させている。
【図５】バンド部材の平面図である。
【図６】ダクトの斜視図である。
【図７】リベット部材の斜視図である。
【図８】本発明のダクト取付部材が使用されている状態を示す図である。
【発明を実施するための形態】
【００２６】
本発明のバンド取付部材１００の実施例を図１〜図６を参照しつつ以下、説明する。本明細書では、バンド取付部材１００の構成と、これを図３に示すバンド部材１２（帯状部材）とともに用いてダクト３００を天井等に取り付ける工程とを説明することでバンド取付部材１００を説明することとする。なお、図１、２においてのバンドストップ１１６が形成される側を前方と表記する。
【００２７】
また、図１は、ダクト取付部材１００を天面側から見た斜視図であり、図２は、ダクト取付部材１００を裏側から見た斜視図である。図３は、図１のラインＡ−Ａに沿った断面図である。図４は、図３の断面にバンド部材１２（帯状部材）を挿入した状態を示した図であり、（ａ）は上面部材１０２の下方にバンド部材１２を進行させてた図であり、（ｂ）は下面部材１０６の下方にバンド部材１２を進行させてた図であり、（ｃ）は上面部材の天面にバンド部材を進行させた図である。また、図５は、バンド部材の平面図であり、図６はダクトの斜視図である。
【００２８】
前提として、図６を用いて、バンド取付部材１００を用いて天井等に取り付けられるダクト３００について説明する。ダクト３００は、長手方向（軸方向）に延びた円筒形状部材であり、バンド部材１２によって天井等から吊り下げ可能である。なお、このダクト３００は、アルミにより６層で形成されており、径方向に屈曲可能である。なお、バンド取付部材１００によって吊るされるダクト３００は、アルミ以外の他の部材（樹脂繊維など）とともに形成されるものであっても良い。また、ダクト３００は、６層の構造に限らず、想定される他の構造のダクトを全て含むものである。
【００２９】
また、図５にはバンド部材１２の平面図が示されている。バンド部材１２は、長手方向に延びた帯形状である。バンド部材１２は、上述するダクト３００の周囲に巻き付けられ、天井から吊り下げられる。バンド部材１２は、樹脂製であり、幅は、５０ｍｍであり、厚み１ｍｍは、である。バンド部材１２。なお、バンド部材１２の幅は、２０ｍｍ〜８０ｍｍの間のいずれであっても良い。また、バンド部材１２の厚みは、０．２ｍｍ〜３ｍｍの間のいずれであっても良い。また、バンド部材１２は、天井への吊り下げ作業時の利便性を考慮し、ハサミ等の切断器具により容易に切断可能に形成される。。また、バンド部材１２は、ダクト３００に巻き付けた際やバンド取付部材１００への位置ずれを回避可能に形成される。
【００３０】
また、バンド部材１２には、厚み方向に貫通する大孔１４と小孔１６とが配設されている。大孔１４は、楕円形状であり、小孔１６は、円形状である。そして、大孔１４と小孔１６とは、互いに中心軸に沿って、長手方向に交互に繰り返して配設されている。なお、図５では大孔１４の長径（長手方向の径）が１０ｍｍ、小孔１６の径３ｍｍのケースが例示されているが、これはバンド取付部材１００や上述するダクト３００の自重等により選択される設計事項である。例えば、大孔１４の長径（長手方向の径）は、５ｍｍ〜２０ｍｍの間のいずれであっても良い。また、小孔１６の径は、１ｍｍ〜５ｍｍの間のいずれであっても良い。
【００３１】
バンド取付部材１００は、樹脂製である。また、バンド取付部材１００は、樹脂によって一体成形される。バンド取付部材１００は、板状の上面部材１０２を有する。図１〜４に示すように上面部材１０２の側部両側には、上面部材１０２の長手方向（以下、前後方向と呼ぶ場合がある）に沿って延びる板状の側面部材１０４が、起立して（上面部材１０２と直行して）並列に配置されている。上面部材１０２の各側部は、各側面部材１０４の上縁部と連結されている。また、上面部材１０２には、上面部材１０２を貫通する３つの孔１０８ａ〜ｃが並んで配設されている。さらに、上面部材１０２には、上面部材１０２を貫通する孔１０８ｄが形成されている。
【００３２】
図３には図１のラインＡ−Ａに沿った断面図が示されている（理解しやすさのために図１の各部材のスケールを変更し、フランジ部１１０等の一部材を省略している）。側面部材１０４の幅方向の間（一方の側面部材１０４と他方の側面部材との間）には、上面部材１０２と、上面部材１０２に対して階段状の後方下部（紙面右上方の位置）に配置される下面部材１０６とが設けられる。上面部材１０２と下面部材１０６との間には厚み方向に隙間１１７が形成される。下面部材１０６には、側面部材１０４と下面部材１０６とを連結するための枠部材１０９が形成されている。枠部材１０９は、各側面部材１０４の端部に挟まれて、垂直方向（下面部材１０６と直行する方向）に配設される。下面部材１０６の両側部には、各側面部材１０４の内側面から内側に向かって突出する下方連結部１０６ａが配設されている。
【００３３】
このようにバンド取付部材１００は、上面部材１０２、側面部材１０４、及び下面部材１０６から構成されている。なお、下面部材１０６には１つの孔１２２が配設されているる。
【００３４】
ここで上面部材１０２について詳述する。上面部材１０２は、天井等に当接する平面部１０２ａと傾斜部１０２ｂによって構成される。平面部１０２ａの上面には４つの孔１０８ａ、１０８ｂ、１０８ｃ、１０８ｄが配設されている。傾斜部１０２ｂは、平面部１０２ａの一端（バンドガイド１１４側の端）が、下面方向に折り曲げられた形状をなしている。また、傾斜部１０２ｂは、図３に示されるように平面部１０２ａに一体連結する板状の部材である。３つの孔１０８ａ、１０８ｂ、１０８ｃは平面部１０２ａの中央近傍に配置される。孔１０８ｂと孔１０８ｃとは、天面視で２つの互いに対向するコ字型である。すなわち、孔１０８ｂがコ字方であるの対し、孔１０８ｃは逆コ字型である。また、上面部材１０２には、これらの孔１０８ｂ、１０８ｃで挟まれた円形の孔１０８ａが配設されている。
【００３５】
なお、上面部材１０２の下面には複数のフランジ部１１０を設けても良く、図２には、上面部材１０２の下面に鉛直方向に立配し前後方向に互いに並列して延びる４つのフランジ部１１０が例示されている。また、孔１０８と対応する位置に鉛直方向に突出した２つのバンドリベット部１１２ａ、１１２ｂが配設されている。バンドリベット部１１２ａとバンドリベット部１１２ｂとは互いに対向して配置される。また、上面部材１０２の下面であって、平面部１０２ａの一端（バンドガイド１１４側の端）には、円筒形状の筒部１１３が形成される。そして、上面部材１０２の下面に形成される筒部１１３の周囲には、筒部１１３を囲う円形状のリブ部材１１１ａ、１１１ｂが立設されている。リブ部材１１１ａは、筒部１１３を中心に、筒部１１３を囲うように立設される。また、リブ部材１１１ｂは、リブ部材１１１ａを囲うように、リブ部材１１１ａの同心円上に立設される。筒部１１３の高さは、バンドリベット部１１２ａおよびバンドリベット部１１２ｂよりも低い。また、リブ部材１１１の高さは、筒部１１３の高さよりも低い。バンドリベット部１１２ａ、１１２ｂはそれぞれ、孔１０８ａと孔１０８ｂ、孔１０８ａと孔１０８ｃに挟まれて三日月状に形成され、下端において半矢先形状の第一反し部１１２ｃ、１１２ｄが設けられている。
【００３６】
孔１０８ｄの直径は、３．５ｍｍ〜４．５ｍｍである。また、筒部１１３の直径は、５．５ｍｍ〜６．５ｍｍである。また、筒部１１３を囲うリブ部材１１１ａ直径は、１３．５ｍｍ〜１４．５ｍｍである。また、リブ部材１１１ａを囲うリブ部材１１１ｂの直径は、２３ｍｍ〜２４ｍｍである。このように、筒部１１３の直径が５．５ｍｍ〜６．５ｍｍであり、筒部１１３を囲うリブ部材１１１ａ直径が１３．５ｍｍ〜１４．５ｍｍであることで、電気銃で天井等に鋲打ちする際に、電気銃先端部分（空撃ち防止機構）が、リブ部材１１１ａに引っかかり、電気銃先端部分（空撃ち防止機構）の内周側の釘は排出される機構のみが筒部１１３に挿入される。これによって、電気銃の安全装置を解除できる。  図１〜図３に示すように各側面部材１０４は、上面部材１０２と下面部材１０６とを幅方向両側から挟み込んでおり、上面部材１０２と下面部材１０６とに対して直行して設けられる。また、各側面部１０４は、前後方向に帯状に延びている。側面部材１０４の両上端縁部は上、面部材１０２の天面と連続しており、上面部材１０２が天井等に当接されたとき又は上面部材１０２がバンド部材１２を介して天井等に当接されたときに当接する。また、側面部材１０４は、上面部材１０２の位置を超えて前方先端の上縁が下方（下面側）に傾斜している。この前端の上縁から幅方向内側に板状のバンドガイド１１４が突出している。また、各ハンドガイドは互いに対向して設けられる。上面部材１０２の裏面をバンド部材１２が進行する場合には（図４（ａ）参照）、バンドガイド１１４によって、バンド部材１２が天井等側に跳ね上がることが規制される。また、上面部材１０２の天面をバンド部材１２が進行する場合には（図４（ｃ）参照）、バンドガイド１１４によって、電気銃等で天井等に鋲打ちする際にバンド部材１２が損傷する可能性を回避可能としている。
【００３７】
また、側部部材１０４の後端（バンドストップ１１６側）に、前端のバンドガイド１１４と同様にバンドストップ１１６が設けられている。この後端のバンドストップ１１６は、上面部材１０２の天面側を進行させる鋲打ち作業を行った場合に（図４（ｃ）参照）、バンド部材１２の前端をバンドストップ１１６側に案内し、鋲打ち作業による衝撃を吸収し、バンド部材１２の前端やダクト取付部材１００を保護する機能を有する。なお、このバンドストップ１１６は前述した枠部材１０９を終端として連結している。
【００３８】
また、上面部材１０８の裏側には、各側面部材１０４にその幅方向内側に突出（傾斜）する板状のバンドガイド１１８が設けられる。上面部材１０の裏側を進行するバンド部材１２は、バンドガイド１１８により厚み方向上面部材側（上面側）に押し付けられ、位置決めされる。通常、バンド部材１２をバンドリベット部１１２で固定するときに作業者がバンド部材１２の両側部を押し込んで位置決めする。
【００３９】
ここでバンド部材１２は、上述するように長手方向（進行方向）所定間隔ごとに楕円状の大孔１４が設けられている（図５参照）。また、大孔１４の隣には所定間隔をあけて丸状の小孔１６が設けられてもよい。図４（ａ）に示すように大孔１４は上述したバンドリベット部１１２ａ、１１２ｂが厚み方向に挿入され、大孔１４の内周縁の弾性変形を利用してバンドリベット部１１２ａ、１１２ｂの第一返し部１１２ｃ、１１２ｄに圧入され、返し部１１２ｃ、１１２ｄの最も拡がった部分（左右方向に突出した部分）を超えて、第一返し部１１２ｃ、１１２ｄとリブ部材１１１との隙間に到達すると大孔１４の弾性変形が解放され、固定される。また、図１〜図３の例では示していないがバンド部材１２の長手方向の固定をさらに十分にするためにバンドリベット部１１２の近傍に突起を設けて小孔１６に差し込むようにする場合もある。図１〜図４のようにこのような突起がない場合でも小孔１６によって、バンド部材１２の幅方向の可撓性のみ上げ、長手方向の強度をそのままに維持できる。
【００４０】
また、下面部材１０６は、上面部材１０２の後方下部に配置される板状部材である。下面部材１０６の前端は、上面部材１０２の後端と前後方向に略同一位置に配置される。また、下面部材１０６の前端は、上面部材１０２の後端と厚み方向に隙間１１７を空けて配置されている。また、下面部材１０６は平坦な板形状であるが、前後方向の中間位置を頂点として両側に緩やかに下降している。また、下面部材１０６の中間位置には、Ｕ字形状の切り込み１２２が設けられる。切り込み１２２によって後端側を固定端とする舌状のラチェット部材（舌状部材）１２３が設けられており、固定端側を中心に厚み方向に弾性的に揺動する。ラチェット部材１２３はその先端（前端側）が下方に突出している（符号１２３ａ参照）。すなわち、ラチェット部材１２３は、自由端に向かってスロープ状に下方に突出している。
【００４１】
さらに、各側面部材１０４は、下面部材１０６の下方に所定間隔を空けて幅方向に内側に突出する板状のラチェットガイド１２０を有する。このラチェットガイド１２０は幅方向にわたって両側の側部部材１０４を連結するものであってもよい。図４（ｂ）に示すようにバンド部材１２が後端から挿入する下面部材１０６の裏側を進行させる場合には、バンド部材１２を下面部材１０６とラチェットガイド１２０との間を通す。すなわち、ラチェットガイド１２０はバンド部材１２の端部が下側に垂れさがらないための案内板となる。また、バンド部材１２が後端側から挿入され進行した場合に、上記ラチェット部材１２３を通過し、所望の大孔１４をラチェット部材の下方の突起１２３ａに引っかけることでバンド部材１２の固定する。
図７は本発明の一実施の形態におけるリベット部材２００の構成例の概要を示す斜視図である。
【００４２】
図７に示されるように、リベット部材２００は、筒形状の第１のリベット部２１０と、第１のリベット部２１０よりも直径が大きい第２のリベット部２２０とを有する。第１のリベット部２１０の直径は、３ｍｍ〜５ｍｍである。また、第２のリベット部２２０の直径は、７ｍｍ〜１２ｍｍである。また、第１のリベット部２１０の中心から第２のリベット部２２０までの距離（間隔）は、８ｍｍ〜１０ｍｍであり、互いに隣接する小孔１６から大孔１４までの距離と一致する。これによって、第１のリベット部２１０はリベット部材２００が、バンド部材１２に取り付けられる際に、取り付け位置を決定するためのガイドとして機能する。
【００４３】
図８に示されるように、ダクト取付部材１００が天井に取り付けられ、バンド部材１２の一端側の大孔１４が上面部材１０２の裏側のバンドリベット部１１２に嵌め込んでスナップ留めさせる。
【００４４】
また、ダクト３００にバンド部材１２が巻き付けられた状態にて、リベット部材１００がバンド部材１２に取り付け（挿入）られる。そして、リベット部材１００によって、バンド部材１２は、ダクト３００に巻き付けられた状態が維持される。より詳細には、第１のリベット部２１０が、バンド部材１２の小穴１６に挿入されるとともに、第２のリベット部２２０が大孔１４に挿入されることで、リベット部材１００がバンド部材１２に取り付けられる。詳細には、第２のリベット部２２０は、大穴１４に押し込まれると、大穴１４が弾性変形する。第２のリベット部２２０大穴１４を貫通（通り抜け）した後に、大穴１４は、復元力によって元の形状に戻る。これによって、バンド部材１２と第２のリベット部２２０の底面とが接触した状態でリベット部材１００はバンド部材１２に取り付けられる。
次に、ダクト取付部材１００とバンド部材１２とを天井に取り付ける方法について詳細に説明する。
【００４５】
まず、上面部材１０２とバンド部材１２との取り付け方法は二つある。第一の方法は、まずダクト３００の径に合わせて適当な長さにバンド部材１２をカットし、バンド部材１２を上面部材１０２の裏側を進行させる。また、バンド部材１２の両側面は、側面部材１０４の内周面に対向して形成される爪部に押し込まれる。そして、バンド部材１２の所望の位置の大孔１４をバンドリベット部１１２に嵌め込んでスナップ留めさせる。このときバンド部材１２は、上面部材１０２とバンドガイド１１８との隙間を進行させた後にバンドリベット部１１２に嵌め込んでも良く、上面部材１０２の裏側に配置し、大孔１４をバンドリベット部１１２に嵌め込む前後にバンドガイド１１８上に位置する部分を押し込んでも良い。
【００４６】
この状態で上面部材１０２の天面（平面部１０２ａ）を天井等に当接固定する。固定は接着剤を先に平面部１０２とバンド部材１２の天面側に十分に塗布してから天井等に当接しても良く、平面部１０２ａ上にバンド部材１２を載置しながら天井等に当接した状態で上面部材１０２の裏側からバンドリベット部１１２の貫通孔１０８ａを通して鋲打ち器で固定しても良い。
【００４７】
また第二の方法でも、まずダクト３００の径に合わせて適当な長さにバンド部材１２をカットし、バンド部材１２をバンドガイド側から挿入する。そして、バンド部材１２を、上面部材１０２の天面側（傾斜部１０２ｂから平面部１０２ａ）で進行させる。このときバンド部材１２の先端を傾斜部１０２ｂとバンドガイド１１４との隙間に挿入して進行させる。そして、バンド部材１２の所望の位置の大孔１４が、上面部材１０２の貫通孔１０８ａを覗く位置（対向する位置）に到達すると、この状態で上面部材１０２の天面（平面部１０２ａ）を天井等に当接固定する。固定は、平面部１０２ａが天井等に当接された状態で上面部材１０２の裏側から筒部１１３を通して鋲打ち器で鋲が撃ち込まれることで行われる。これによって、ダクト取付部材１００が天井等に固定される。
【００４８】
また、第一の方法、第二の方法ともにダクト取付部材１００が天井等に固定された状態でダクト３００を支持しつつバンド部材１２をダクト３００の周囲に巻き付け端部を下面部材１０６とラチェットガイド１２３との間に挿入し進行させる。このときダクト３００がつぶれない程度にバンド部材１２を押し込み、その大孔１４がラチェット部材１２３の突起１２３ａに引っかかることを確認する。以上の工程でダクト取付部材１００がダクト３００をバンド部材１２で支持しながら天井等に固定できる。
【００４９】
その他、バンド取付部材１００の使用態様として、バンド部材１２をダクト３００に巻きつけ後に、バンド同士を取り付ける方法も用いることが出来る。これは従来の方法のように、接着剤や鋲打器等でバンド同士を互いに取り付ける方法、樹脂製リベットを用いる方法、バンドを鎖に取り付け鎖を天井に取り付ける方法などを用いることができる。
【符号の説明】
【００５０】
１２  バンド部材
１４  大孔
１６  小孔
１００  ダクト取付部材
１０２  上面部材
１０２ａ  平面部
１０２ｂ  傾斜部
１０４  側面部材
１０６  下面部材
１０６ａ  下方連結部
１０７  隙間
１０８ａ〜ｃ  孔
１０９  枠部材
１１０  フランジ部
１１１  リブ部材
１１２（１１２ａ，１１２ｂ）  バンドリベット部
１１２ｃ、１１２ｄ  第一返し部
１１４  バンドガイド（衝撃吸収ガイド部材）
１１６  バンドストップ（衝撃吸収ガイド部材）
１１７  隙間
１１８  バンドガイド（第一ガイド部材）
１２０  ラチェットガイド（第二ガイド部材）
１２２  切り込み（孔）
１２３  ラチェット部材
１２３ａ  突起
２００    リベット部材
３００    ダクト
【図１】
2018077007.tif 000003
【図２】
2018077007.tif 000004
【図３】
2018077007.tif 000005
【図４】
2018077007.tif 000006
【図５】
2018077007.tif 000007
【図６】
2018077007.tif 000008
【図７】
2018077007.tif 000009
【図８】
2018077007.tif 000010